(57)【特許請求の範囲】
【請求項１】
本体ケース内に、少なくとも照明光源及び照明用レンズを有し読取対象に向けて照明光を照射する照明光学系と、少なくとも結像レンズ及び受光センサを有し前記読取対象からの反射光を受光する受光光学系とを備える光学的情報読取装置における、前記照明光学系の照明光軸の位置を調整するための構造であって、
前記照明光学系は、全体がユニット化されており、
前記本体ケースの固定部に階段状位置決め部が設けられると共に、前記照明光学系ユニットには前記階段状位置決め部のいずれかの段に選択的に係止される係止部が設けられ、
前記階段状位置決め部のいずれかの段に前記係止部が係止された状態で、前記照明光学系ユニットを前記固定部に固定するための固定手段を備えることを特徴とする光学的情報読取装置の光軸位置調整構造。
【請求項２】
本体ケース内に、少なくとも照明光源及び照明用レンズを有し読取対象に向けて照明光を照射する照明光学系と、少なくとも結像レンズ及び受光センサを有し前記読取対象からの反射光を受光する受光光学系とを備える光学的情報読取装置における、前記受光光学系の読取光軸の位置を調整するための構造であって、
前記受光光学系は、全体がユニット化されており、
前記本体ケースの固定部に階段状位置決め部が設けられると共に、前記受光光学系ユニットには前記階段状位置決め部のいずれかの段に選択的に係止される係止部が設けられ、
前記階段状位置決め部のいずれかの段に前記係止部が係止された状態で、前記照明光学系ユニットを前記固定部に固定するための固定手段を備えることを特徴とする光学的情報読取装置の光軸位置調整構造。
【発明の詳細な説明】
【技術分野】
【０００１】
本発明は、例えばバーコード等の光学情報の読取りが可能な光学的情報読取装置における、照明光軸或いは読取光軸の位置を調整するための光学的情報読取装置の光軸位置調整構造に関する。
【背景技術】
【０００２】
例えばバーコードを読取るハンディタイプの光学的情報読取装置（バーコードリーダ）は、本体ケース内に、読取対象（バーコードが印刷されたラベル）に対し横長な照明光を照射する照明光学系と、読取対象からの反射光を、結像レンズを介してＣＣＤセンサ等の受光センサより受光（撮像）する受光光学系とを備えて構成されている。前記照明光学系は、例えば、光源となるＬＥＤ、その前部に配置された絞り板、その前方に配置されたいわばかまぼこ型の照明用レンズ等から構成されており、例えば２組が結像光学系の左右両側に水平に並ぶように配設されている。これにて、照明光の照明光軸と、受光光学系の読取光軸とが同一の光学的平面内（例えば水平方向に広がる平面内）に配置され、以て、読取対象のうち照明光の当たった部分の画像を確実に取込めるようになっている。
【０００３】
ところで、この種の光学的情報読取装置にあっては、照明光学系の照明光軸と、受光光学系の読取光軸とが同一の光学的平面内に配置されていることが望ましいのであるが、構成部品の組付け誤差などにより、それら光軸の位置（角度）がずれる虞がある。そこで、従来では、照明光の光源となるＬＤを保持するホルダを、金属製の弾性体を介して基板に取付け、その弾性体の高さ位置を高さ調整用ビスによって調整可能とすると共に、その弾性体の基板に平行な位置を偏心ドライバーによって調整可能とした構成が考えられている（例えば特許文献１参照）。
【特許文献１】特開平８−１６７０６号公報
【発明の開示】
【発明が解決しようとする課題】
【０００４】
しかしながら、従来の調整構造では、照明光源の高さ及び水平方向の位置を無段階（リニア）に調整できる構成であるため、細かい微調整が可能となる反面、作業者による調整作業が面倒となる欠点があった。つまり、従来のものでは、照明光源（弾性体）の位置がリニアに変位可能であるため、作業者にとって照明光源を位置決めするための機械的な目安となるものがなく、作業者が止めようと思った位置に正確に位置合せすることはかなり困難性が高く、作業者がその作業に神経を使い、作業に時間がかかってしまう事情があったのである。
【０００５】
本発明は上記事情に鑑みてなされたもので、その目的は、光学的情報読取装置における照明光学系の照明光軸あるいは結像光学系の読取光軸の位置の調整が可能なものにあって、作業者による調整作業を簡単に済ませることができる光学的情報読取装置の光軸位置調整構造を提供するにある。
【課題を解決するための手段】
【０００９】
本発明の請求項１の光学的情報読取装置の光軸位置調整構造は、光学的情報読取装置における照明光学系の照明光軸の位置を調整するための構造であって、前記照明光学系は全体がユニット化されており、本体ケースの固定部に階段状位置決め部が設けられると共に、前記照明光学系ユニットには前記階段状位置決め部のいずれかの段に選択的に係止される係止部が設けられ、前記階段状位置決め部のいずれかの段に前記係止部が係止された状態で、前記照明光学系ユニットを前記固定部に固定するための固定手段を備える構成に特徴を有する。
【００１０】
この構成によれば、照明光学系全体の固定部に対する取付け位置（角度）を変更し、固定手段により固定することによって、照明光学系の照明光軸の位置（角度）を調整することができる。この調整においては、係止部を階段状位置決め部のいずれかの段に係止させることによって、照明光学系ユニットの固定部に対する位置（角度）を、階段状位置決め部の段に対応していわば段階的に変更することができる。このとき、固定部に対する照明光学系ユニットの機械的な位置決めを、階段状位置決め部のいずれかの段に係止部を選択的に係止することにより行うことができるので、作業者が、固定前の照明光学系ユニットの位置決めを容易に行うことができ、その分調整作業を簡単に済ませることができる。
【００１４】
本発明の請求項２の光学的情報読取装置の光軸位置調整構造は、光学的情報読取装置における受光光学系の読取光軸の位置を調整するための構造であって、前記受光光学系は全体がユニット化されており、本体ケースの固定部に階段状位置決め部が設けられると共に、前記受光光学系ユニットには前記階段状位置決め部のいずれかの段に選択的に係止される係止部が設けられ、前記階段状位置決め部のいずれかの段に前記係止部が係止された状態で、前記受光光学系ユニットを前記固定部に固定するための固定手段を備える構成に特徴を有する。
【００１５】
この構成によれば、受光光学系全体の固定部に対する取付け位置（角度）を変更し、固定手段により固定することによって、受光光学系の読取光軸の位置（角度）を調整することができる。この調整においては、係止部を階段状位置決め部のいずれかの段に係止させることによって、受光光学系ユニットの固定部に対する位置（角度）を、階段状位置決め部の段に対応していわば段階的に変更することができる。このとき、固定部に対する受光光学系ユニットの機械的な位置決めを、階段状位置決め部のいずれかの段に係止部を選択的に係止することにより行うことができるので、作業者が、固定前の受光光学系ユニットの位置決めを容易に行うことができ、その分調整作業を簡単に済ませることができる。
【発明を実施するための最良の形態】
【００１６】
以下、本発明を具体化したいくつかの実施例について、いくつかの参考例と共に図面を参照しながら説明する。尚、以下に述べる各実施例及び参考例は、光学的情報読取装置としての、バーコードを読取るハンディタイプのバーコードリーダ（バーコードハンディターミナル）に適用したものである。
【００１７】
（１）第１の参考例
まず、第１の参考例について、図１ないし図４を参照しながら説明する。本参考例に係る光学的情報読取装置たるバーコードリーダ１は、図４にその外観を示すように、ユーザが片手で持って操作可能な大きさの縦長形状をなす本体ケース２内の先端側に、ラベル等の読取対象Ｒに記録されたバーコードＢを読取るための読取機構３（図３参照）を配設して構成される。詳しく図示はしないが、前記本体ケース２は、下ケースと上ケースとを突合せてねじ止め固定されるようになっている。
【００１８】
図３に示すように、前記読取機構３は、読取対象Ｒに向けて照明光Ｌを照射する照明手段としての照明光学系４、読取対象Ｒからの反射光を受光（撮像）しバーコードＢを読取る受光手段としての受光光学系５、更に、図示はしないが、読取対象Ｒに対して読取位置を示すマーカ光を照射するマーカ光学系を備えて構成される。照明光学系４及び受光光学系５については後述する。
【００１９】
図４に示すように、前記本体ケース２の先端面には、横長な矩形状をなし透光性を有する読取口２ａが設けられている。また、本体ケース２の上面部には、表示部６やキー操作部７が設けられ、本体ケース２の左右の側面部には、読取指示用のトリガキー８が設けられている。さらに、これも図示はしないが、前記本体ケース２内には、全体の制御や読取ったバーコードＢのデコード処理等を行う制御回路、外部との通信を行うための通信回路、駆動電源となる二次電池等が設けられている。
【００２０】
ここで、前記照明光学系４及び受光光学系５について述べる。まず、前記受光光学系５は、図３に示すように、本体ケース２内の先端側に配設された例えばＣＣＤエリアセンサからなる受光センサ９と、その受光センサ９の前方に配置された結像レンズ１０とを備えて構成されている。詳しく図示はしないが、前記結像レンズ１０は、例えば鏡筒内に複数枚のレンズを配設して構成される。この受光光学系５の読取光軸Ｏは、前記読取口２ａの中心を該読取口２ａ面に直交する状態で延びている。また、受光光学系５は、横長な読取視野を有している。
【００２１】
そして、前記照明光学系４は、図１及び図２にも示すように、この場合、照明光源としての１個又は複数個のＬＥＤ１１、絞り板１２、前記ＬＥＤ１１からの出射光を折曲げるためのミラー１３、前記ＬＥＤ１１からの光を集光，拡散する照明用レンズ１４を備えて構成される。詳しく図示はしないが、照明光学系４は、前記受光センサ９のやや後方に位置して、２組が、受光光学系５（読取光軸Ｏ）に対して左右対称的に設けられている。
【００２２】
具体的には、前記照明用レンズ１４は、入射面が平面状をなし、出射面が円筒面とされたいわゆるかまぼこ型をなし、受光センサ９のやや後方に前向きに設けられている。前記ミラー１３は、前記照明用レンズ１４の後方に４５度の角度をなすように設けられている。そして、前記ＬＥＤ１１及びその前部に配置された絞り板１２は、前記ミラー１３の下方に位置して上向きに設けられている。これにて、ＬＥＤ１１から発せられ絞り板１２を通った上向きの光は、ミラー１３により前方に向けて直角に折曲げられ、照明用レンズ１４に入射されるようになっている。そして、照明用レンズ１４により、ＬＥＤ１１からの入射光が集光，拡散され、横方向（読取幅方向）に広がると共に縦方向には細い帯状の照明光Ｌとして出射されるようになっている。
【００２３】
このように構成された照明光学系４により、前記読取口２ａから前方（図３で左方）に向けて照明光Ｌが出射され、読取対象Ｒに対して、前記受光光学系５の読取視野よりもやや広い範囲について、読取幅方向に長い照明光Ｌが照射されるようになっている。また、このとき、左右の照明用レンズ１４から出射される照明光Ｌの照明光軸Ｐ（図１、図２参照）は、前記受光光学系５の読取光軸Ｏを含む光学的平面と同一の光学的平面内（水平面内）に位置されるようになっている。尚、この照明光Ｌは、バーコードＢの読取り時（画像取込み時）に点灯されるようになっている。
【００２４】
さて、この第１の参考例では、照明光学系４を構成する構成部品のうちミラー１３が、本体ケース２内に設けられた固定部である取付ベース１５に対し、この場合、所定方向である前後方向（矢印ａ方向）に位置調整可能に取付けられるようになっている。前記照明用レンズ１４並びにＬＥＤ１１及び絞り板１２は、本体ケース２内に固定的に設けられている。このとき、前記ミラー１３の取付ベース１５に対する取付位置の調整により、照明光軸Ｐの位置（この場合角度）を調整できるようになっており、もって、光軸位置の調整構造が設けられるようになっている。以下、本参考例に係る光軸位置調整構造について、図１及び図２を参照しながら詳述する。
【００２５】
即ち、前記ミラー１３は、調整板１６に取付けられた状態で取付ベース１５に固定的に支持される。前記調整板１６は、全体として前後方向に延びる板状をなし、その先端側に、例えば斜め４５度方向に傾斜して立上るミラー取付部１６ａが設けられ、このミラー取付部１６ａに前記ミラー１３が固着されている。また、調整板１６の長手方向中間部分には、前後方向にやや長い長孔１６ｂが形成されている。
【００２６】
一方、前記取付ベース１５の上面は、水平な取付面とされると共に、ねじ穴１５ａが設けられている。前記調整板１６は、取付ベース１５の取付面に載置状態とされると共に、ねじ１７が上方から長孔１６ｂを通して前記ねじ穴１５ａにねじ込まれることによって、取付ベース１５に取付けられるようになっている。これら長孔１６ｂ、ねじ穴１５ａ、ねじ１７から固定手段が構成されている。このとき、調整板１６ひいてはミラー１３は、長孔１６ｂの分だけ前後方向に移動可能とされている。
【００２７】
そして、このとき、前記調整板１６のうち後部側下面（長孔１６ｂの後ろ側近傍）に、前後方向に交互に凹凸となる複数の凹凸部１８が形成されていると共に、前記取付ベース１５の上面には、そのねじ穴１５ａの後ろ側近傍に位置して、前記凹凸部１８のいずれかの位置に選択的に噛合う凹凸からなる噛合部１９が設けられている。この場合、図１（ｂ）、図２（ｂ）に示すように、凹凸部１８は、側面鋸歯状に構成され、例えば凸（山）が５個（凹（谷）が４個）並ぶように設けられている。これに対し、噛合部１９は、その凹凸部１８に噛合う鋸歯状の凸（山）を２個設けて構成されている。
【００２８】
これにて、図１及び図２に２つの例を示すように、調整板１６は、取付ベース１５に対し、凹凸部１８に対して噛合部１９がいずれかの位置で相対的に噛合った状態に位置合せされ、その状態でねじ１７によって固定されるのである。この調整構造により、調整板１６（ミラー１３）の取付ベース１５（本体ケース２）に対する前後方向の取付け位置を、凹凸部１８のピッチに対応して複数段階（この場合５段階）でいわば段階的に変更することができ、ひいては照明光軸Ｐの角度を調整できるようになっている。
【００２９】
例えば、図１に示すように、噛合部１９が凹凸部１８に対して中央の位置で相対的に噛合っている場合には、調整板１６（ミラー１３）は前後方向中間の位置に配置される。この状態では、ＬＥＤ１１からの出射光の光軸がミラー１３の中央で反射され、照明用レンズ１４の高さ方向中間部に入射され、照明用レンズ１４から出射される照明光Ｌの光軸Ｐの角度が図で水平方向となる。尚、この位置が、初期の（基準となる）調整板１６（ミラー１３）の取付位置とされる。
【００３０】
これに対し、図２に示すように、噛合部１９が凹凸部１８に対して前側の位置で相対的に噛合っている場合には、調整板１６（ミラー１３）は後ろ寄りの位置に配置されることになる。この状態では、ＬＥＤ１１からの出射光の光軸がミラー１３の上部寄りで反射され、照明用レンズ１４の高さ方向上部寄りに入射される。このときには、照明用レンズ１４から出射される照明光Ｌの光軸Ｐの角度が図で水平からやや下向きに変更されるようになる。図示はしないが、それとは逆に、調整板１６（ミラー１３）が前寄りの位置に移動されると、照明用レンズ１４から出射される照明光Ｌの光軸Ｐの角度が図で水平からやや上向きに変更されるようになるのである。
【００３１】
次に、上記構成の作用について述べる。バーコードリーダ１によりバーコードＢを読取るにあたっては、ユーザは、本体ケース２を読取対象Ｒから適当な距離（読取基準距離前後）だけ離した状態で、その読取口２ａを、横長のバーコードＢが記録された読取対象Ｒに対してほぼ平行となるように向ける。このとき、図示しないマーカ光が読取対象Ｒに照射されることによって、ユーザは、読取口２ａと読取対象Ｒとの位置合せを行うことができる。
【００３２】
そして、その状態で、トリガキー８のオン操作が行われると、図４に示すように、マーカ光が消灯された上で、今度は照明光学系４により読取口２ａを通してバーコードＢ部分に横長な帯状の照明光Ｌが照射され、バーコードＢからの反射光が読取口２ａを通して入射されて結像レンズ１０を介して受光センサ９上に結像され、以てバーコードＢが読取られる。このとき、照明光軸Ｐと読取光軸Ｏとが同一の光学的平面内（水平面内）に配置されることによって、良好な読取りが行われる。
【００３３】
ところが、照明光学系４及び受光光学系５の構成部品の組付け誤差などにより、それら照明光軸Ｐと読取光軸Ｏとの位置（角度）がずれるケースが考えられる。照明光軸Ｐと読取光軸Ｏとの位置（角度）がずれていると、照明光Ｌが照射されている部分の画像を受光光学系５により正しく取込むことができなくなり、バーコードＢの読取りが良好に行えなくなる虞が生ずる。そこで、本参考例では、例えばバーコードリーダ１の組立て時（工場出荷時）において、照明光軸Ｐと読取光軸Ｏとの位置（角度）が一致しているかどうかの検査が行われ、ずれが生じている場合には、照明光軸Ｐの角度の調整が行われる。
【００３４】
この調整の作業は、例えば図１の状態から、まず、ねじ１７を緩めて調整板１６（ミラー１３）を移動可能な状態とし、調整板１６を取付ベース１５に対して調整方向（前後方向）に移動させ、ねじ１７を締付けることにより行うことができる。このとき、この調整作業においては、凹凸部１８に対して噛合部１９がいずれかの位置で相対的に噛合った状態とすることにより、取付ベース１５に対する調整板１６の機械的な位置決めを行うことができ、その状態でねじ１７を締付けて調整板１６を固定することができる。
【００３５】
この場合、仮に、凹凸部１８及び噛合部１９が存在しない構成を想像すると、ねじ１７を締付ける際の力によって調整板１６が取付ベース１５に対してずれ動いてしまう不具合が生ずる。これに対し、上記構成では、取付ベース１５に対する調整板１６の位置を一旦位置決めしたら、調整板１６がずれ動くことなくねじ１７を締付けて固定することができるのである。尚、上記のような照明光軸Ｐの調整作業は、バーコードリーダ１の出荷後（使用開始後）にあっても、サービスマンやユーザ自身が行うこともできる。
【００３６】
このように本参考例によれば、取付ベース１５に対する調整板１６の取付け位置の調整によって、照明光軸Ｐの角度を調整することができるものにあって、調整板１６に凹凸部１８を形成すると共に、取付ベース１５側にその凹凸部１８のいずれかの位置に選択的に噛合う噛合部１９を設けたので、取付ベース１５に対する調整板１６（ミラー１３）の機械的な位置決めを、凹凸部１８のいずれかの位置に噛合部１９を選択的に噛合わせることにより行うことができるようになった。
【００３７】
この結果、調整時に照明光源を正確に位置合せすることが困難であった従来の構造と異なり、作業者が固定前の調整板１６の位置決めを容易に行うことができ、調整作業を簡単に済ませることができるという優れた効果を得ることができる。しかも、特に上記構成では、照明光学系４の構成部品のうちのミラー１３を保持した調整板１６を移動させることによって、照明用レンズ１４からの出射光の出射位置（出射角度）を調整する構成としたので、ＬＥＤ１１や照明用レンズ１４等を移動させる場合に比べて、照明光軸Ｐの位置調整を比較的簡単な構成で行うことができる利点も得ることができる。
【００３８】
（２）第２の参考例
次に、図５を参照しながら、第２の参考例について述べる。尚、以下に述べる各参考例及び実施例においても、バーコードリーダ１に適用したものであり、全体の基本的な構成については、上記第１の参考例と共通するので、共通する部分については、同一符号を付すと共に新たな図示や詳しい説明を省略し、上記第１の参考例と相違する点についてのみ述べることとする。
【００３９】
この第２の参考例が、上記第１の参考例と異なるところは、照明光学系２１の構成にある。即ち、図５に示すように、照明光学系２１は、ＬＥＤ１１、絞り板１２、ミラー１３、照明用レンズ１４を備えているのであるが、この場合、それらの構成部品のうち、ミラー１３及び照明用レンズ１４が、調整板２２に取付けられている。この調整板２２には、前後方向にやや長い長孔２２ａが形成されていると共に、凹凸部１８が設けられている。一方、取付ベース１５には、ねじ穴１５ａ及び噛合部１９が設けられている。
【００４０】
この構成により、調整板２２（ミラー１３及び照明用レンズ１４）は、前後方向（矢印ａ方向）の位置調整可能とされ、取付ベース１５に対し、凹凸部１８に対して噛合部１９がいずれかの位置で相対的に噛合った状態に位置合せされ、その状態でねじ１７によって固定されるのである。この調整構造により、調整板２２（ミラー１３及び照明用レンズ１４）の取付ベース１５（本体ケース２）に対する前後方向の取付け位置を、凹凸部１８のピッチに対応して複数段階（この場合５段階）でいわば段階的に変更することができ、ひいては照明光軸Ｐの角度を調整できるようになっている。
【００４１】
従って、この第２の参考例においても、取付ベース１５に対する調整板２２（ミラー１３及び照明用レンズ１４）の機械的な位置決めを、凹凸部１８のいずれかの位置に噛合部１９を選択的に噛合わせることにより行うことができる。この結果、照明光学系２１の照明光軸Ｐの角度の調整が可能なものにあって、作業者が固定前の調整板２２の位置決めを容易に行うことができ、調整作業を簡単に済ませることができるという優れた効果を得ることができる。
【００４２】
（３）第３の参考例
図６は、第３の参考例を示している。この第３の参考例においては、照明光学系が、全体がユニット化された照明光学系ユニット３１として構成されている。この照明光学系ユニット３１は、構成部品として、上記と同様に、ＬＥＤ１１、絞り板１２、ミラー１３、照明用レンズ１４を備え、それらをほぼ矩形箱状をなすケース３２に組付けて構成されている。尚、このとき、前記ＬＥＤ１１はＬＥＤ基板３３に実装された状態でケース３２に取付けられている。
【００４３】
そして、本体ケース２内には、固定部である取付ベース３４が設けられているのであるが、この取付ベース３４は、その前面が垂直な取付面とされている。前記照明光学系ユニット３１（ケース３２）は、その取付ベース３４に対し、所定方向である上下方向（矢印ｂ方向）に位置調整可能に取付けられるようになっている。
【００４４】
このとき、前記照明光学系ユニット３１のケース３２のうち後壁部には、下寄り部位に位置して縦長の長孔３２ａが形成されている。そして、前記ケース３２の背面部には、前記長孔３２ａの上部に位置して、上下方向に交互に凹凸となる複数（例えば凸（山）が５個）の鋸歯状の凹凸部３５が形成されている。
【００４５】
一方、前記取付ベース３４の取付面（前面）には、前記凹凸部３５のいずれかの位置に選択的に噛合う凹凸からなる鋸歯状の噛合部３６が設けられていると共に、その下側にねじ穴３４ａが設けられている。前記照明光学系ユニット３１（ケース３２）は、取付ベース３４の取付面に前方から宛がわれて凹凸部３５のいずれかの位置に噛合部３６が噛合った状態とされ、その状態で、ねじ１７が前方から長孔３２ａを通して前記ねじ穴３４ａにねじ込まれることによって、取付ベース３４に取付けられるようになっている。
【００４６】
この構成においては、取付ベース３４（本体ケース２）に対する照明光学系ユニット３１全体の上下方向の取付け位置を微調整することができる。この照明光学系ユニット３１の位置を上下方向に平行移動させる調整によって、照明光軸Ｐの上下方向の位置を微調整することができる。このとき、上記第１、第２の参考例と同様に、取付ベース３４に対する照明光学系ユニット３１（ケース３２）の機械的な位置決めを、凹凸部３５のいずれかの位置に噛合部３６を選択的に噛合わせることにより行うことができる。この結果、第３の参考例によれば、照明光学系ユニット３１の照明光軸Ｐの位置の調整が可能なものにあって、作業者が固定前の照明光学系ユニット３１の位置決めを容易に行うことができ、調整作業を簡単に済ませることができるという優れた効果を得ることができる。
【００４７】
（４）第１の実施例
図７及び図８は、本発明の第１の実施例を示している。この第１の実施例においては、照明光学系が、全体がユニット化された照明光学系ユニット４１として構成されている。この照明光学系ユニット４１は、前後方向に長い調整板４２の上面部に、構成部品としての、ＬＥＤ１１、絞り板１２、照明用レンズ１４を取付けて構成されている。この場合、ＬＥＤ１１は、調整板４２の後端部寄りに前向きに取付けられ、絞り板１２はそのＬＥＤの前部に配置されている。照明用レンズ１４は、調整板４２の前端部寄りに取付けられている。そして、前記調整板４２には、前後方向中央部分に位置して、前後に長い長孔４２ａが形成されている。この調整板４２の前端の縁部及び後端の縁部は、夫々前部係止部４２ｂ及び後部係止部４２ｃとされている。
【００４８】
一方、本体ケース２内には、固定部である取付ベース４３が設けられている。前記照明光学系ユニット４１（調整板４２）は、この取付ベース４３の上面に位置調整可能に取付けられるようになっている。取付ベース４３は、前後両端部に上方に立上る壁部を有したほぼ水平の板状をなしている。また、取付ベース４３の前後方向中央部に、前記調整板４２の長孔４２ａに対応して、上方にやや凸となるボス状部４３ａが設けられ、その上面にねじ穴４３ｂが形成されている。
【００４９】
そして、取付ベース４３の前端の壁部には、後ろを向く部分が、前方にいくに従って段々と高くなる前部階段状位置決め部４４が形成されている。これと共に、取付ベース４３の後端の壁部には、前を向く部分が、後方にいくに従って段々と高くなる後部階段状位置決め部４５が形成されている。この場合、これら前部階段状位置決め部４４及び後部階段状位置決め部４５は、例えば共に６段程度に設けられている。
【００５０】
前記照明光学系ユニット４１は、調整板４２の前端の前部係止部４２ｂが前部階段状位置決め部４４のいずれかの段に係止され、調整板４２の後端の後部係止部４２ｃが後部階段状位置決め部４５のいずれかの段に係止される。そして、その状態で、調整板４２の長孔４２ａを通して、固定手段としてのねじ４６を、前記ボス状部４３ａのねじ穴４３ｂにねじ込むことにより、取付ベース４３に固定されるようになっている。
【００５１】
このとき、図７に示すように、調整板４２の前部係止部４２ｂが前部階段状位置決め部４４の下から３段目の段に係止（載置）されている状態では、後部係止部４２ｃも後部階段状位置決め部４５の下から３段目の段に係止（載置）されるような寸法設定とされている。この図７に示す状態では、照明光学系ユニット４１の調整板４２は、水平に保持され、照明光学系ユニット４１（照明用レンズ１４）から出射される照明光の照明光軸Ｐの角度が水平方向となる。
【００５２】
これに対し、図８に示すように、調整板４２の前部係止部４２ｂが一段下がって前部階段状位置決め部４４の下から２段目の段に係止（載置）されている状態では、後部係止部４２ｃは一段上がって後部階段状位置決め部４５の下から４段目の段に係止（載置）されるようになる。この状態では、調整板４２がやや前下がりに傾斜して取付けられるようになるので、照明光軸Ｐの角度が水平からやや下向きに変更されるようになる。
【００５３】
図示はしないが、それとは逆に、調整板４２を前上がりに傾斜させるように調整すると、照明光軸Ｐの角度が水平からやや上向きに変更されるようになるのである。このように、本実施例では、調整板４２の前部係止部４２ｂ及び後部係止部４２ｃの、夫々前部階段状位置決め部４４及び後部階段状位置決め部４５に対する係止位置（段）を選択することにより、照明光軸Ｐの角度を例えば５段階で段階的に変更することができるのである。
【００５４】
この第１の実施例によれば、照明光学系ユニット４１の取付ベース４３に対する取付け角度を、階段状位置決め部４４，４５の段に対応していわば段階的に変更することができる。このとき、照明光学系ユニット４１（調整板４２）の機械的な位置決めを、階段状位置決め部４４，４５のいずれかの段に係止部４２ｂ，４２ｃを選択的に係止することにより行うことができるので、作業者が、固定前の照明光学系ユニット４１の位置決めを容易に行うことができる。この結果、上記各参考例と同様に、照明光学系ユニット４１の照明光軸Ｐの角度の調整が可能なものにあって、作業者が固定前の照明光学系ユニット４１の位置決めを容易に行うことができ、調整作業を簡単に済ませることができるという優れた効果を得ることができる。
【００５５】
（５）第４の参考例
図９及び図１０は、第４の参考例を示している。この第４の参考例では、上記第１〜第３の参考例及び第１の実施例と異なり、受光光学系５１の読取光軸Ｏの位置（角度）を調整可能に構成している
【００５６】
即ち、受光光学系５１は、本体ケース２内に設けられた基板５２上に、構成部品としての受光センサ９、ミラー５３、結像レンズ１０等を組付けて構成される。そのうち受光センサ９は、前記基板５２の後部側の上面に上向きに設けられている。前記結像レンズ１０は、ホルダ５４を介して基板５２の前部側に前向きに固定的に設けられている。このとき、ホルダ５４の上部側には、後述する取付板５５が一体に設けられている。本参考例では、この取付板５５が本体ケース２の固定部として機能する。
【００５７】
前記ミラー５３は、前記結像レンズ１０の後方で受光センサ９の上方に位置して４５度の角度をなすように設けられ、結像レンズ１０を通った入射光を下方に折曲げて受光センサ９に入射させるようになっている。このとき、このミラー５３は、調整板５６に取付けられた状態で、前記取付板５５に対して前後方向（矢印ａ方向）の位置調整可能に設けられるようになっている。
【００５８】
前記調整板５６は、前部側が前記取付板５５の上面部に重なるように位置される水平板部５６ａとされ、後部側がその水平板部５６ａの後端から斜め下方に延びており、さらに、後端部には僅かな水平部が形成されている。前記ミラー５３は、調整板５６のうち斜めに延びる部分の内面（下面）側に固着されている。また、前記基板５２上の受光センサ９の後側には、断面Ｌ字状の台板部５７が固着されており、前記調整板５６の後端部の水平部が台板部５７上に載置されている。尚、基板５２、取付板５５（ホルダ５４）、調整板５６、台板部５７等から暗箱が構成されるようになっている。
【００５９】
そして、前記調整板５６の水平板部５６ａには、その前部の下面側に位置して、前後方向に交互に凹凸となる複数の凹凸部５８が形成されている。これと共に、水平板部５６ａの凹凸部５８の後ろ側近傍には、前後方向に長い長孔５６ｂが形成されている。これに対し、前記取付板５５の上面には、前記凹凸部５８のいずれかの位置に選択的に噛合う凹凸からなる噛合部５９が形成されている。また、その噛合部５９の後ろ側に位置してねじ穴５５ａが形成されている。
【００６０】
これにて、調整板５６（ミラー５３）は、取付板５５に対し凹凸部５８に対して噛合部５９がいずれかの位置で相対的に噛合った状態に前後方向の位置合せがなされる。そして、その状態で、調整板５６の長孔５６ｂを通して、固定手段としてのねじ６０を、ねじ穴５５ａにねじ込むことにより、取付板５５に固定されるようになっている。このとき、調整板５６（ミラー５３）の取付板５５に対する前後方向の取付け位置を、凹凸部１８のピッチに対応して複数段階（この場合５段階）でいわば段階的に変更することができ、ひいては読取光軸Ｏの角度を調整できるようになっている。ちなみに、図９の状態では、読取光軸Ｏが図でほぼ水平となっているのに対し、ミラー５３を少し後方に移動させた図１０の状態では、読取光軸Ｏが前方に向かってやや下向きとなるようになっている。
【００６１】
このような第４の参考例においては、受光光学系５１の読取光軸Ｏの角度を調整できるものにあって、取付板５５に対する調整板５６（ミラー５３）の機械的な位置決めを、凹凸部５８のいずれかの位置に噛合部５９を選択的に噛合わせることにより行うことができるので、上記第１の参考例などと同様に、作業者が固定前の調整板５６の位置決めを容易に行うことができ、調整作業を簡単に済ませることができるという優れた効果を得ることができる。しかも、ミラー５３を保持した調整板５６を移動させることによって、読取光軸Ｏの角度を調整する構成としたので、読取光軸Ｏの角度調整を比較的簡単な構成で行うことができる利点も得ることができる
【００６２】
（６）第２の実施例、その他の実施例
図１１及び図１２は、本発明の第２の実施例を示している。この第２の実施例においては、受光光学系が、全体がユニット化された受光光学系ユニット６１として構成されている。この照明光学系ユニット６１は、前後方向に長く暗箱を構成するケース６２内に、構成部品としての受光センサ９及び結像レンズ１０を組付けて構成されている。そして、このケース６２の底壁部の前後方向中央部分（左右方向には例えば両側に延出した部分）に位置して、前後に長い長孔６２ａが形成されている。このケース６２の底壁部の前端の縁部及び後端の縁部は、夫々前部係止部６２ｂ及び後部係止部６２ｃとされている。
【００６３】
一方、本体ケース２内には、固定部である取付ベース６３が設けられており、前記受光光学系ユニット６１（ケース６２）は、この取付ベース６３の上面に位置調整可能に取付けられるようになっている。取付ベース６３には、上記第１の実施例と同様に、ねじ穴６３ｂを有するボス状部６３ａが設けられていると共に、前部階段状位置決め部６４及び後部階段状位置決め部６５が設けられている。
【００６４】
前記受光光学系ユニット６１は、ケース６２の前端の前部係止部６２ｂが前部階段状位置決め部６４のいずれかの段に係止され、後端の後部係止部６２ｃが後部階段状位置決め部６５のいずれかの段に係止される。そして、その状態で、長孔６２ａを通して、固定手段としてのねじ６６を、前記ボス状部６３ａのねじ穴６３ｂにねじ込むことにより、取付ベース６３に固定されるようになっている。
【００６５】
この場合も、上記第１の実施例と同様に、ケース６２の前部係止部６２ｂ及び後部係止部６２ｃの、夫々前部階段状位置決め部６４及び後部階段状位置決め部６５に対する係止位置（段）を選択することにより、読取光軸Ｏの角度を例えば５段階で段階的に変更することができるのである。従って、この第２の実施例によっても、上記実施例等と同様に、受光光学系ユニット６１の照明光軸Ｏの角度の調整が可能なものにあって、作業者が固定前の照明光学系ユニット６１の位置決めを容易に行うことができ、調整作業を簡単に済ませることができるという優れた効果を得ることができる。
【００６６】
尚、本発明は上記し且つ図面に示した各実施例に限定されるものではなく、種々の拡張、変更が可能である。
【００６７】
また、上記第１の実施例では、照明光源としてＬＥＤ１１を採用するようにしたが、レーザダイオードなどの別の光源を採用しても良い。例えばレーザダイオードを採用した場合には、絞り板１２を不要とすることができる。上記第１、第２の実施例では、取付ベースの前後両側に階段状位置決め部を設けるようにしたが、いずれか一方だけに設けても、所期の目的を達成することができる。その他、照明光学系の照明光軸Ｐと、受光工学系の読取光軸Ｏの双方の位置（角度）を調整可能に構成してもよい等、本発明は要旨を逸脱しない範囲内で適宜変更して実施し得るものである。
【図面の簡単な説明】
【００６８】
【図１】第１の参考例を示すもので、照明光学系の構成を示す縦断側面図（ａ）及びそのＡ部の拡図縦断側面図（ｂ）
【図２】調整板の取付け位置を変更した様子を示す図１相当図
【図３】バーコードリーダの先端側の内部構成を示す縦断側面図
【図４】読取対象に照明光を照射している様子を概略的に示す図
【図５】第２の参考例を示すもので、照明光学系の構成を示す縦断側面図
【図６】第３の参考例を示す図５相当図
【図７】本発明の第１の実施例を示す図１相当図
【図８】調整板の取付け角度を変更した様子を示す図７相当図
【図９】第４の参考例を示すもので、受光光学系の構成を示す縦断側面図
【図１０】調整板の取付け位置を変更した様子を示す図９相当図
【図１１】本発明の第２の実施例を示す図９相当図
【図１２】受光光学ユニットの取付け角度を変更した様子を示す図１１相当図
【符号の説明】
【００６９】
図面中、１はバーコードリーダ（光学的情報読取装置）、２は本体ケース、４，２１は照明光学系、５，５１は受光光学系、９は受光センサ、１０は結像レンズ、１１はＬＥＤ（照明光源）、１３，５３はミラー、１４は照明用レンズ、１５，３４，４３，６３は取付ベース（固定部）、１６，２２，４２，５６は調整板、１７，４６，６０，６６はねじ（固定手段）、１８，３５，５８は凹凸部、１９，３６，５９は噛合部、３１，４１照明光学系ユニット、３２、６２はケース、４２ｂ，４２ｃ，６２ｂ，６２ｃは係止部、４４，４５，６４，６５は階段状位置決め部、５５は取付板（固定部）、６１は受光光学系ユニット、Ｌは照明光、Ｐは照明光軸、Ｏは読取光軸、Ｒは読取対象を示す。
【図１】
0004539471.tif 000002
【図２】
0004539471.tif 000003
【図３】
0004539471.tif 000004
【図４】
0004539471.tif 000005
【図５】
0004539471.tif 000006
【図６】
0004539471.tif 000007
【図７】
0004539471.tif 000008
【図８】
0004539471.tif 000009
【図９】
0004539471.tif 000010
【図１０】
0004539471.tif 000011
【図１１】
0004539471.tif 000012
【図１２】
0004539471.tif 000013